(57)【要約】【課題】危険粒子状物質を収集したヘパフィルターを交換することを可能にしたアイソレーターを提供する。バグインバグアウト方式の如くヘパフィルターを袋で交換作業を行うのではなく、危険粒子状物質の飛散を防ぎ、耐破損性も高い廃棄物容器としても使用できる立体型のヘパフィルターを使用し作業性を容易にし、より安全に行う。【解決手段】作業室に設けた塵埃排出用の作業室側開口部に対面して設置され、頂部に塵埃取込用のヘパフィルター開口部を有する筒状有底の立体型排気ヘパフィルターの前記ヘパフィルター開口部に、前記作業室側開口部とヘパフィルター開口部とを閉塞するための上蓋と下蓋との二枚重ねの蓋よりなり、かつ、該蓋には２枚の蓋を互いに固定し一体化し、或は互いに分離することを可能にしたノブを設けてなり、ヘパフィルターの取出時、下蓋でヘパフィルター開口部を、上蓋で作業面開口部をそれぞれ閉塞することを可能とした。【選択図】図５
2015121347.tif 000002
【特許請求の範囲】
【請求項１】
作業室（５２）に設けた塵埃排出用の作業室側開口部（６４）に対面して設置され、頂部に塵埃取込用のヘパフィルター開口部（６６）を有する筒状有底の立体型排気ヘパフィルター（６５）の前記ヘパフィルター開口部（６６）に、前記作業室側開口部（６４）とヘパフィルター開口部（６６）とを閉塞するための上蓋（６８ａ）と下蓋（６８ｂ）との二枚重ねの蓋よりなり、かつ、該蓋には２枚の蓋を互いに固定し一体化し、或は互いに分離することを可能にしたノブ（７１ａ）を設けてなり、ヘパフィルター（６５）の取出時、下蓋（６８ｂ）でヘパフィルター開口部（６６）を、上蓋（６８ａ）で作業面開口部（６４）をそれぞれ閉塞することを可能としたことを特徴とするアイソレーター（５１）におけるヘパフィルター（６５）の交換方法。
【発明の詳細な説明】
【技術分野】
【０００１】
本発明は危険物取扱用密閉型作業装置（以下アイソレーターと記す）作業室内で飛散した危険物を除去するためのヘパフィルターを作業者及び環境に害を与えずに交換することが出来るようにした事を特徴とするヘパフィルターの交換方法に関する。
【背景技術】
【０００２】
従来、癌治療用の薬品、ホルモン剤、放射生物質等の活性化学物質を取り扱う小型の隔離装置であるアイソレーターは給気用ヘパフィルター、排気用ヘパフィルターを配した作業室と、外部から作業室内の作業を可能とするための作業用手袋が配されている。給気用ヘパフィルター、排気用ヘパフィルターは定期的に滅菌や清拭を行い交換する。
【０００３】
上記アイソレーターの概略断面を図１に示し、その構成を説明する。
アイソレーター１は陰圧作業室２の正面に正面扉３を有し、正面扉３に設けられたグーローブポート４に外部から手を挿入出来る状態に作業手袋５が設けられている。陰圧作業室２の背面は、壁面７を隔てて気流流路６となっており、気流流路６の下部において陰圧作業室２と気流流路６とが連通路６ａ，６ｂによって連なり、連通路６ａ，６ｂ間には、排気用へフィルター８がフィルター固定用スタッドボルト９ａ及びナット９ｂによって固定されている。
【０００４】
アイソレーター１の、排気用ヘパフィルター８に対面する背面板１０には、バグインバグアウトポート１１ａが設けられ、バグインバグアウトポート１１ａには、ビニール袋（以下、袋と称する）１２の袋口を嵌合し袋口の部分をゴムリング１８ａ，１８ｂにより締め付け、袋１２をバグインバグアウトポート１１ａに緊締支持している。
そして、上記袋１２を支持したバグインバグアウトポート１１ａは、背面板１０に取り付けたバグインバグアウトポートカバー１１ｂ（図１，図２Ａに図示）によって袋１２と共にカバーされている。
前記した如く、バグインバグアウトポートカバー１１ｂ内には、背面板１０に支持されて袋１２が折り畳んで収納されている。該袋には作業用手袋１３が一対設けられている。１４は循環用送風機，１５は室外排気口，１６は給気ヘパフィルターで、循環用送風機１４の回転によりヘパフィルター８を介して通気路６ａから作業室２内のエアを吸引し作業室２を陰圧に保っている。
【０００５】
上記の装置においてヘパフィルター８の交換は次の如くして行われている。
尚、交換の過程を示した図２は、アイソレーター１の交換すべきヘパフィルター８の周辺部位のみを拡大して示している。
交換作業の順を追って説明する。
１．アイソレーター１のバグインバグアウトポートカバー１１ｂの内部には、作業手袋１３付ビニール袋１２が折り畳んだ状態でセットされている（図２（Ａ））。
２．バグインバグアウトポートカバー１１ｂの内部には、作業用手袋１３付の袋１２が折り畳んで収納されているので、前記カバー１１ｂを取り外し、袋１２を引き出す（図２（Ｂ））。
３．上記袋１２内の作業用手袋１３に手を入れヘパフィルター固定用ナット９ｂとフィルター固定用金具９ｃを、取り外しフィルター固定用スタッドボルト９ａから、使用済汚染ヘパフィルター８ａを外し、袋１２に入れる（図２（Ｃ））。
４．使用済汚染ヘパフィルター８ａは、袋１２の最奥に収容し、袋１２の途中部分２ケ所を結束、若しくはヒートシール１７し密閉する（図２（Ｄ））。
この手段は特許文献１にも記載されている。
５．２ケ所の結束、若しくはヒートシール１７した部位の間を切断し、袋１２に入れた使用済汚染ヘパフィルター８ａを取り去り廃棄する。廃棄されたヘパフィルターは適宜焼却処理される（図２（Ｅ））。
６．バグインバグアウトポート１１ａに２ケ所で袋１２を固定しているゴムリング１８ａ，１８ｂの１つ１８ｂをずらしながら外す（図２（Ｆ））。
７．新しいヘパフィルター８ｂを内部に入れた新袋１２ａ（作業手袋付）をバグインバグアウトポート１１ａに被せる。その際に、バグインバグアウトポート１１ａに残っている切断された旧袋１２に新袋１２ａがかぶさるようオーバーラップさせる（図２（Ｇ））。
８．新袋１２ａに内装されている作業用手袋１３ａを用い旧袋１２に用いられているゴムリング１８ｂをポート１１ａから外す。同時に旧袋１２をバグインバグアウトポート１１ａから外す（図２（Ｈ））。
９．取り外したゴムリング１８ｂと旧袋１２とを、新袋１２ａ内に保管する。そして、新袋１２ａはポート１１ａにゴムリング１８ｃで固定される（図２（Ｉ））
10．新袋１２ａ内の新規に使用されるヘパフィルター８ｂを新袋１２ａの作業用手袋１２を固定金具９ｃに、フィルター固定用スタットボルト９ａ、フィルターフィルター固定用ナット９ｂを用いて取り付ける（図２（Ｊ））。
11．新袋１２ａを折り畳み、バグインバグポートカバー１１ｂを取り付け、交替終了とする（図２（Ｋ））。
以上従来方法によるヘパフィルター交換方法を説明したが、その作業は大変煩雑であり、専門作業員でなければ作業できない点があり、袋の破損により危険物が漏洩する危険性があった。
【先行技術文献】
【特許文献】
【０００６】
【特許文献１】特公昭５６−２０５１４号公報
【発明の概要】
【発明が解決しようとする課題】
【０００７】
本発明は、前記の点に鑑みて、安全かつ容易に塵埃等を収集したヘパフィルターを交換することを可能にしたアイソレーターを提供するものである。従来方式のバグインバグアウト方式のようにヘパフィルターをビニール等の袋で交換作業を行うのではなく、周囲への危険粒子状物質の飛散を防ぎ、耐破損性も高い廃棄物容器としても使用できる立体型のヘパフィルターを使用し作業性を容易にし、かつ、より安全に行うことを目的とする。
【課題を解決するための手段】
【０００８】
請求項１記載の本発明は、作業室５２に設けた塵埃排出用の作業室面開口部６４に対面して設置され、頂部に塵埃取込用のヘパフィルター開口部６６を有する筒状有底の立体型排気ヘパフィルター６５の前記ヘパフィルター開口部６６に、前記作業室側開口部６４とヘパフィルター開口部６６とを閉塞するための上蓋６８ａと下蓋６８ｂとの二枚重ねの蓋よりなり、かつ、該蓋には、２枚の蓋を互いに固定し一体化し、或は互いに分離することを可能にするためのノブＡ７１ａ，ノブＢ７１ｂよりなる係止部材７１を設けてなり、ヘパフィルター６５をアイソレーター５１から取出す時、下蓋６８ｂでヘパフィルター開口部６６を、上蓋６８ａで作業面開口部６４をそれぞれ閉塞することを可能としている。
【発明の効果】
【０００９】
本発明の立体型排気ヘパフィルター６５はアイソレーターの作業室５２の下部に作業室側の開口部６４を介して設置され、開口部６４には上蓋６８ａと下蓋６８ｂの２枚重ねた密閉蓋を配したため、立体型排気ヘパフィルター６５の開口部６６は下蓋６８ｂによって気密性を維持し、ヘパフィルター内の汚染空気を外部に漏洩することなく立体型排気ヘパフィルター６５に収容した状態でアイソレーター５１外に被処理物を取り出すことが可能となる。
また、搬送時の破損による漏洩を防止するために、立体型排気ヘパフィルター６５を密閉袋（ビニール袋）に入れ、更にヒートシールなどで密閉を行うようにすれば、更に一層密閉性を維持できる。
【図面の簡単な説明】
【００１０】
【図１】従来のバグインバグアウト設置したアイソレーターの縦断概念図。
【図２】従来のヘパフィルター交換方法を実施するアイソレーターにおけるヘパフィルター装置部分の概略縦断面図でＡ乃至Ｋは交換過程を順次示す。
【図３】本発明ヘパフィルターを設置したアイソレーターの縦断概念図。
【図４】立体型排気ヘパフィルターを、アイソレーターの作業室下の作業室側開口部に取り付けた状態の断面図。
【図５】上蓋と下蓋が共に作業開口部、ヘパフィルター開口部に取り付けようとしている状態の立体型排気ヘパフィルターの断面図。
【図６】上蓋と下蓋が共に作業開口部、ヘパフィルター開口部から取り外そうとしている状態の立体型排気ヘパフィルターの断面図。
【図７】上蓋をアイソレーターに、下蓋をヘパフィルターにそれぞれ取り付けた状態の断面図。
【発明を実施するための形態】
【００１１】
立体型排気ヘパフィルター６５を備えたアイソレーター５１における、前記立体型排気ヘパフィルター６５の構成、及び、その交換手段について図面と共に次に説明する。
図３のアイソレーター５１は、装置の上半部を占める函体よりなる作業室５２の下部に排気チャンバーバー５３を配してなり、作業室５２の上部にはプレフィルター５５を介して外気を吸入する給気送風機５６、給気ヘパフィルター５７を有し、これらを介して作業室５２に給気している。作業室５２で飛散した危険粒子物質を含む空気は、作業室５２と立体型排気ヘパフィルター６５の間のパンチング板８１を通過し作業面開口部６４及び立体型排気ヘパフィルター開口部６６に入り、排気チャンバー５３内に設けた立体型排気ヘパフィルター６５を経て、清浄空気のみ排気チャンバー５３内へ吹出され、排気送風機５４により装置外に排出される。
作業室５２の正面には作業用手袋５９を有する正面扉５８が設けられ、作業室５２の側面には、パスボックス６０、作業面６３には廃棄箱６１が設けられている。排気チャンバー５３にはメンテナンス扉６２が設けられ、廃棄するヘパフィルターを取り出せるようにしている。
【００１２】
立体型排気ヘパフィルター６５の構造について説明する。
立体型排気ヘパフィルター６５は図３乃至７に示す如く、頂部に開口部６６を有し周壁を濾過材とした有底筒状体よりなるフィルター本体６７と、前記開口部６６を塞ぐ上蓋６８ａ及び下蓋６８ｂとからなる立体形状をなし、空気を吸い込むフィルター本体６７頂部の開口部６６に、下蓋６８ｂと螺合するソケット７３を配している。
また、立体型排気ヘパフィルター６５はその周面全周から清浄空気が吹出され、立体型排気ヘパフィルター６５は図３に示す如くロック付キャッチ７９により、アイソレーター５１の作業面６３下面に固定されている。立体型排気ヘパフィルター６５が立体型（４角筒型）であれば清浄空気は４つの面から吹出され圧力の損失を抑えることも出来る。
【００１３】
立体型排気ヘパフィルター６５の交換前の初期状態について説明する。
立体型ヘパフィルター６５の通常使用状態は図３乃至７に示す如く、アイソレーター５１の作業面６３下部の作業面開口部６４にロック付キャッチ７９により固定されヘパ用パッキン７８にて気密を保持している。
アイソレーター５１の作業室５２内で飛散した危険粒子状物質は作業室床面のパンチング板８１、作業面開口部６４、立体型ヘパフィルター開口部６６を通り、立体型排気フィルター６５に捕集され、清浄空気はヘパフィルターの周囲に吹出す。立体型ヘパフィルター６５の交換時期は、危険粒子状物質によって目詰まりや、定期的な交換時期となったときにフィルター本体６７に上蓋６８ａ，下蓋６８ｂを固定し密封しメンテナンス扉６２よりアイソレーター５１外へ搬出する。
【００１４】
ここでヘパフィルター本体６７の開口部６６を閉塞する下蓋６８ｂの構成につき説明する。
下蓋６８ｂは、ヘパフィルター本体６７の空胴部８４内に所定量の廃棄物等が収容されヘパフィルター本体６７ごと廃棄物として搬出する際にヘパフィルター開口部６６を閉塞し、内容物が散逸しないようにするためのものである。下蓋６８ｂは、ヘパフィルター開口部６６を塞ぐ事の出来る直径を有する円盤の下面に、周面に螺子を切った筒状体７０を垂下固定し、該筒状体７０を、フィルター本体６７頂部の開口部６６を塞いだ端部覆い板７３ｂに支持されたソケット７３ａと螺合し、ソケット７３ａと筒状体７０とを螺合し一体化することを可能にしている。
下蓋６８ｂの周縁下面に添って下蓋パッキン６９ｂを配し、筒状体７０の下縁をソケット７３ａに螺子込んだときパッキン６９ｂはヘパフィルター本体６７の端部覆い板７３ｂと圧接し、ヘパフィルター本体６７の空胴部８４を密封状態とすることを可能にしている。
【００１５】
上蓋６８ａは、次のように構成されている。
上蓋６８ａはアイソレーター５１の作業室５２の作業面６３に続く作業面開口部６４の下位に設置されたヘパフィルター本体６７を取出す際に、前記開口部６４を閉塞するために用いる。
【００１６】
上蓋６８ａを構成する円盤の周縁部には図６に示す如く、ノブＡ７１ａとその内周縁にノブＢ７１ｂとを設け、頭部の螺子部を本体ケース８３に固定して設けたナット部７７に螺合することで上蓋６８ａの円盤により作業室側開口部６４を閉塞する。６９ａは上蓋パッキン、６９ｂ下蓋パッキン，８０は上蓋を取り除く際に蓋６８ａ，６８ｂを持ち上げる把手である。
【００１７】
立体型排気ヘパフィルター６５の交換の手順について説明する。
図３，５，６に示す如く、立体型排気ヘパフィルター６５への上蓋６８ａと下蓋６８ｂの取り付けは次の如く行う。立体型ヘパフィルター６５はアイソレーター５１外へ出し廃棄される。この際、立体型ヘパフィルター６５から危険粒子状物質の再飛散を防止するために上蓋６８ａと下蓋６８ｂが一体となった状態で作業室側開口部６４と立体型ヘパフィルター開口部６６を塞ぎ粒子状物質の飛散を防止し、廃棄する。
アイソレーター５１外で一体化された上蓋６８ａ、下蓋６８ｂ、ノブＡ７１ａとノブＢ７１ｂをパスボックス６０から作業室５２内に入れる。
作業室５２内の交換作業は、アイソレーター５１の正面扉５８に取り付けている作業用手袋５９を嵌めて作業を行う。一体化された上蓋６８ａと下蓋６８ｂを取り付ける際には、パンチング板８１を取り外し作業する。（図５）
一体化された上蓋６８ａと下蓋６８ｂは取手８０を持って下蓋６８ｂの筒状体７０をソケット７３ａの螺子部に螺子込むことで密閉する。この際ノブＡ７１ａを作業面開口部６４近傍に設けられたナット７７に移して螺子込み位置を不動のものとする。この時上蓋６８ａのパッキン６９ａは、作業面開口部６４の周囲と，下蓋パッキン６９ｂは立体型排気ヘパフィルター本体６７の端部覆い板７３ｂとそれぞれ接し密閉状態を維持している。（図６）
立体型排気ヘパフィルター６５と螺合した下蓋６８ｂとを共に廃棄するために、一体化された上蓋６８ａと下蓋６８ｂを分割する。連結用のノブＡ７１ａを取り外し、そのノブＡ７１ａを上蓋固定用穴７４に差込みナット７７に螺合する。
ノブＡ７１ａが取り外された上蓋６８ａの上蓋連結穴７５にノブＢ７１ｂを螺子込み分割時の穴を塞ぎ気密性を維持する。（図６）
立体型排気ヘパフィルター６５を取り外す際には、アイソレーター５１のメンテナンス蓋６２を開け、作業面６３下部と立体型排気ヘパフィルター６５を固定していたロック付キャッチ７９のロック解除し作業面６３下部から立体型排気ヘパフィルター６５を取り外し、アイソレーター５１外へ出し廃棄する。（図７）
交換用の立体型排気ヘパフィルターの取り付けは、ロック付キャッチ７９を作業面６３の下部へ引っ掛けてロック付キャッチ７９のレバーを下げることで容易に固定が可能で密閉でき、メンテナンス蓋６２を閉める。立体型排気ヘパフィルター６５の取り付けが完了後、作業面６３の開口部６４を密閉していた上蓋６８ａの固定用のノブＡ７１ａを取り外し、上蓋６８ａと螺子類を廃棄箱６１へ入れ廃棄し立体型排気ヘパフィルター６５の交換が完了する。
【００１８】
上蓋６８ａと下蓋６８ｂの連結構造について説明する。
上蓋６８ａと下蓋６８ｂは予めアイソレーター５１外で連結され一体化される。これは上蓋６８ａと下蓋６８ｂの合わせ面を危険粒子状物質に汚染させないために行われ、上蓋６８ａと下蓋６８ｂが分割された際のアイソレーター５１外への環境への危険粒子状物質の飛散を抑えるためである。一体化は上蓋６８ａと下蓋６８ｂとを重ね上蓋連結穴７５にノブＡ７１ａを上蓋側から差し込み下蓋６８ｂの下蓋連結螺子穴７６と螺合させ一体化させる。
【００１９】
上蓋６８ａと下蓋６８ｂの分割構造について説明する。
上蓋６８ａと下蓋６８ｂを連結していた上蓋連結螺子穴７５と下蓋連結螺子穴７６は、連結時にノブＡ７１ａを螺子込み下蓋６８ｂに加工された下蓋連結螺子穴７６で螺合されている。立体型排気ヘパフィルター６５に下蓋６８ｂにて密閉された後にヘパフィルター６５と共に廃棄される祭に上蓋６８ａと下蓋６８ｂを分割する。この時上蓋６８ａと下蓋６８ｂを連結していたノブＡ７１ａを取り外すと上蓋６８ａの上蓋連結螺子穴７５によって気流の流れ密閉性が維持できない。上蓋連結螺子穴７５は下蓋連結螺子穴７６より異なった大きいサイズの螺子穴を有し、立体型排気ヘパフィルター６５を分離する際には上蓋連結螺子穴７５に合ったノブＢ７１ｂで上蓋連結螺子穴に螺子込む、更に密閉性を高めるためにシール座金８２を間に挟み締めこみ、シール座金８２には密閉性を維持するためのＯリングが取り付けている。穴を塞ぐ、ノブＢ７１ｂの螺子部の長さは下蓋６８ｂまで当たらない長さとし、下蓋連結螺子穴７６は下蓋６８ｂの厚みよりも短い長さのためノブＡ７１ａを外しても空気が流れなく、上蓋６８ａと下蓋６８ｂを分離しても密閉性を維持できる（図４，５）。
【００２０】
次に一体化された上蓋６８ａと下蓋６８ｂとによる立体型排気ヘパフィルター６５の開口部６６の閉塞について説明する。
一体化された下蓋６８ｂは立体型排気ヘパフィルター本体６５の目詰まりや定期メンテナンス時に廃棄処理される際に、立体型排気ヘパフィルター開口部６６を閉塞し、捕集された危険物が飛散しないようにするために用いられるものである。下蓋６８ｂは立体型排気ヘパフィルター開口部６６を塞ぐことの出来る直径を有し下面には筒状体７０を配している。筒状体７０の周囲はソケット７３に合った雄螺子構造となり筒状体７０とソケット７３ａは螺合する。立体型排気ヘパフィルター開口部６６に設けたソケット７３ａに，筒状体７０を、一体化した上蓋６８ａ，下蓋６８ｂの取手８０を持ち螺子込むことで螺合し一体化することを可能にしている。下蓋６８ｂの周縁下面に添ってパッキン６９ｂを配し下蓋６８ｂをソケット７３ａに螺子込んだときパッキン６９ｂは立体型排気ヘパフィルター６５と圧接し密封状態とすることを可能にしている。
また、一体化された上蓋６８ａはアイソレーター５１の作業面開口部６４を塞ぐために使用される。
【符号の説明】
【００２１】
１  アイソレーター
２  作業室
３  正面扉
４  グローブポート
５  作業用手袋
６  気体流路
６ａ  連通路
６ｂ  連通路
７  壁面
８  排気用ヘパフィルター
８ａ  使用済汚染ヘパフィルター
８ｂ  新規の使用されるヘパフィルター
９ａ  フィルター固定用スタッドボルト
９ｂ  フィルター固定用ナット
９ｃ  フィルター固定用金具
１０  背面板
１１ａ  バグインバグアウトポート
１１ｂ  バグインバグアウトカバー
１２  袋
１２ａ  新規袋
１３  作業用手袋
１４  循環用送風機
１５  室外排気口
１６  給気ヘパフィルター
１７  ヒートシール
１８ａ  ゴムリング
１８ｂ  ゴムリング
１８ｃ  ゴムリング
５１  アイソレーター
５２  作業室
５３  排気チャンバー
５４  排気送風機
５５  プレフィルター
５６  給気送風機
５７  給気ヘパフィルター
５８  正面扉
５９  作業用手袋
６０  パスボックス
６１  廃棄箱
６２  メンテナンス扉
６３  作業面
６４  作業室側開口部
６５  立体型排気ヘパフィルター
６６  ヘパフィルター開口部
６７  フィルター本体
６８ａ  上蓋
６８ｂ  下蓋
６９ａ  上蓋パッキン
６９ｂ  下蓋パッキン
７０  筒状体
７１  係止部材
７１ａ  ノブＡ
７１ｂ  ノブＢ
７３ａ  ソケット
７３ｂ  端部覆い板
７４  上蓋連結固定穴
７５  上蓋連結螺子穴
７６  下蓋連結螺子穴
７７  ナット
７８  ヘパ用パッキン
７９  ロック付キャッチ
８０  取手
８１  パンチング板
８２  シール座金
８３  本体ケース
８４  空胴部
【図１】
2015121347.tif 000003
【図２】
2015121347.tif 000004
【図３】
2015121347.tif 000005
【図４】
2015121347.tif 000006
【図５】
2015121347.tif 000007
【図６】
2015121347.tif 000008
【図７】
2015121347.tif 000009
【手続補正書】
【提出日】平成27年2月9日(2015.2.9)
【手続補正１】
【補正対象書類名】特許請求の範囲
【補正対象項目名】全文
【補正方法】変更
【補正の内容】
【特許請求の範囲】
【請求項１】
作業室（５２）に設けた塵埃排出用の作業室側開口部（６４）に対面して設置され、頂部に塵埃取込用のヘパフィルター開口部（６６）を有する筒状有底の立体型排気ヘパフィルター（６５）の前記ヘパフィルター開口部（６６）に、前記作業室側開口部（６４）とヘパフィルター開口部（６６）とを閉塞するための上蓋（６８ａ）と下蓋（６８ｂ）との二枚重ねの蓋よりなり、かつ、該蓋には２枚の蓋を互いに固定し一体化し、或は互いに分離することを可能にしたノブ（７１ａ），ノブ（７１ｂ）よりなる係止部材（７１）を設けてなり、ヘパフィルター（６５）の取出時、下蓋（６８ｂ）でヘパフィルター開口部（６６）を、上蓋（６８ａ）で作業室側開口部（６４）をそれぞれ閉塞することを可能としたことを特徴とするアイソレーター（５１）におけるヘパフィルター（６５）の交換方法。
【手続補正２】
【補正対象書類名】明細書
【補正対象項目名】０００３
【補正方法】変更
【補正の内容】
【０００３】
上記アイソレーターの概略断面を図１に示し、その構成を説明する。
アイソレーター１は陰圧作業室２の正面に正面扉３を有し、正面扉３に設けられたグーローブポート４に外部から手を挿入出来る状態に作業手袋５が設けられている。陰圧作業室２の背面は、壁面７を隔てて気流流路６となっており、気流流路６の下部において陰圧作業室２と気流流路６とが連通路６ａ，６ｂによって連なり、連通路６ａ，６ｂ間には、排気用へパフィルター８がフィルター固定用スタッドボルト９ａ及びナット９ｂによって固定されている。
【手続補正３】
【補正対象書類名】明細書
【補正対象項目名】０００８
【補正方法】変更
【補正の内容】
【０００８】
請求項１記載の本発明は、作業室５２に設けた塵埃排出用の作業室側開口部６４に対面して設置され、頂部に塵埃取込用のヘパフィルター開口部６６を有する筒状有底の立体型排気ヘパフィルター６５の前記ヘパフィルター開口部６６に、前記作業室側開口部６４とヘパフィルター開口部６６とを閉塞するための上蓋６８ａと下蓋６８ｂとの二枚重ねの蓋よりなり、かつ、該蓋には、２枚の蓋を互いに固定し一体化し、或は互いに分離することを可能にするためのノブＡ７１ａ，ノブＢ７１ｂよりなる係止部材７１を設けてなり、ヘパフィルター６５をアイソレーター５１から取出す時、下蓋６８ｂでヘパフィルター開口部６６を、上蓋６８ａで作業室側開口部６４をそれぞれ閉塞することを可能としている。
【手続補正４】
【補正対象書類名】明細書
【補正対象項目名】０００９
【補正方法】変更
【補正の内容】
【０００９】
本発明の立体型排気ヘパフィルター６５はアイソレーターの作業室５２の下部に作業室側開口部６４を介して設置され、開口部６４には上蓋６８ａと下蓋６８ｂの２枚重ねた密閉蓋を配したため、立体型排気ヘパフィルター６５の開口部６６は下蓋６８ｂによって気密性を維持し、ヘパフィルター内の汚染空気を外部に漏洩することなく立体型排気ヘパフィルター６５に収容した状態でアイソレーター５１外に被処理物を取り出すことが可能となる。
また、搬送時の破損による漏洩を防止するために、立体型排気ヘパフィルター６５を密閉袋（ビニール袋）に入れ、更にヒートシールなどで密閉を行うようにすれば、更に一層密閉性を維持できる。
【手続補正５】
【補正対象書類名】明細書
【補正対象項目名】００１１
【補正方法】変更
【補正の内容】
【００１１】
立体型排気ヘパフィルター６５を備えたアイソレーター５１における、前記立体型排気ヘパフィルター６５の構成、及び、その交換手段について図面と共に次に説明する。
図３のアイソレーター５１は、装置の上半部を占める函体よりなる作業室５２の下部に排気チャンバーバー５３を配してなり、作業室５２の上部にはプレフィルター５５を介して外気を吸入する給気送風機５６、給気ヘパフィルター５７を有し、これらを介して作業室５２に給気している。作業室５２で飛散した危険粒子物質を含む空気は、作業室５２と立体型排気ヘパフィルター６５の間のパンチング板８１を通過し作業室側開口部６４及び立体型排気ヘパフィルター開口部６６に入り、排気チャンバー５３内に設けた立体型排気ヘパフィルター６５を経て、清浄空気のみ排気チャンバー５３内へ吹出され、排気送風機５４により装置外に排出される。
作業室５２の正面には作業用手袋５９を有する正面扉５８が設けられ、作業室５２の側面には、パスボックス６０、作業面６３には廃棄箱６１が設けられている。排気チャンバー５３にはメンテナンス扉６２が設けられ、廃棄するヘパフィルターを取り出せるようにしている。
【手続補正６】
【補正対象書類名】明細書
【補正対象項目名】００１２
【補正方法】変更
【補正の内容】
【００１２】
立体型排気ヘパフィルター６５の構造について説明する。
立体型排気ヘパフィルター６５は図３乃至７に示す如く、頂部に開口部６６を有し周壁を濾過材とした有底筒状体よりなるフィルター本体６７と、前記開口部６６を塞ぐ上蓋６８ａ及び下蓋６８ｂとからなる立体形状をなし、空気を吸い込むフィルター本体６７頂部の開口部６６に、下蓋６８ｂと螺合するソケット７３ａを配している。
また、立体型排気ヘパフィルター６５はその周面全周から清浄空気が吹出され、かつ、図３に示す如くロック付キャッチ７９により、アイソレーター５１の作業面６３下面に固定されている。立体型排気ヘパフィルター６５が立体型（４角筒型）であれば清浄空気は４つの面から吹出され圧力の損失を抑えることも出来る。
【手続補正７】
【補正対象書類名】明細書
【補正対象項目名】００１３
【補正方法】変更
【補正の内容】
【００１３】
立体型排気ヘパフィルター６５の交換前の初期状態について説明する。
立体型ヘパフィルター６５の通常使用状態は図３乃至７に示す如く、アイソレーター５１の作業面６３下部の作業室側開口部６４にロック付キャッチ７９により固定されヘパ用パッキン７８にて気密を保持している。
アイソレーター５１の作業室５２内で飛散した危険粒子状物質は作業室床面のパンチング板８１、作業室側開口部６４、立体型ヘパフィルター開口部６６を通り、立体型排気フィルター６５に捕集され、清浄空気はヘパフィルターの周囲に吹出す。立体型ヘパフィルター６５の交換時期は、危険粒子状物質によって目詰まりや、定期的な交換時期となったときにフィルター本体６７に上蓋６８ａ，下蓋６８ｂを固定し密封しメンテナンス扉６２よりアイソレーター５１外へ搬出する。
【手続補正８】
【補正対象書類名】明細書
【補正対象項目名】００１５
【補正方法】変更
【補正の内容】
【００１５】
上蓋６８ａは、次のように構成されている。
上蓋６８ａはアイソレーター５１の作業室５２の作業面６３に続く作業室側開口部６４の下位に設置されたヘパフィルター本体６７を取出す際に、前記開口部６４を閉塞するために用いる。
【手続補正９】
【補正対象書類名】明細書
【補正対象項目名】００１７
【補正方法】変更
【補正の内容】
【００１７】
立体型排気ヘパフィルター６５の交換の手順について説明する。
図３，５，６に示す如く、立体型排気ヘパフィルター６５への上蓋６８ａと下蓋６８ｂの取り付けは次の如く行う。立体型ヘパフィルター６５はアイソレーター５１外へ出し廃棄される。この際、立体型ヘパフィルター６５から危険粒子状物質の再飛散を防止するために上蓋６８ａと下蓋６８ｂが一体となった状態で作業室側開口部６４と立体型ヘパフィルター開口部６６を塞ぎ粒子状物質の飛散を防止し、廃棄する。
アイソレーター５１外で一体化された上蓋６８ａ、下蓋６８ｂ、ノブＡ７１ａとノブＢ７１ｂをパスボックス６０から作業室５２内に入れる。
作業室５２内の交換作業は、アイソレーター５１の正面扉５８に取り付けている作業用手袋５９を嵌めて作業を行う。一体化された上蓋６８ａと下蓋６８ｂを取り付ける際には、パンチング板８１を取り外し作業する。（図５）
一体化された上蓋６８ａと下蓋６８ｂは取手８０を持って下蓋６８ｂの筒状体７０をソケット７３ａの螺子部に螺子込むことで密閉する。この際ノブＡ７１ａを作業室側開口部６４近傍に設けられたナット７７に移して螺子込み位置を不動のものとする。この時上蓋６８ａのパッキン６９ａは、作業室側開口部６４の周囲と，下蓋パッキン６９ｂは立体型排気ヘパフィルター本体６７の端部覆い板７３ｂとそれぞれ接し密閉状態を維持している。（図６）
立体型排気ヘパフィルター６５と螺合した下蓋６８ｂとを共に廃棄するために、一体化された上蓋６８ａと下蓋６８ｂを分割する。連結用のノブＡ７１ａを取り外し、そのノブＡ７１ａを上蓋固定用穴７４に差込みナット７７に螺合する。
ノブＡ７１ａが取り外された上蓋６８ａの上蓋連結穴７５にノブＢ７１ｂを螺子込み分割時の穴を塞ぎ気密性を維持する。（図６）
立体型排気ヘパフィルター６５を取り外す際には、アイソレーター５１のメンテナンス蓋６２を開け、作業面６３下部と立体型排気ヘパフィルター６５を固定していたロック付キャッチ７９のロック解除し作業面６３下部から立体型排気ヘパフィルター６５を取り外し、アイソレーター５１外へ出し廃棄する。（図７）
交換用の立体型排気ヘパフィルターの取り付けは、ロック付キャッチ７９を作業面６３の下部へ引っ掛けてロック付キャッチ７９のレバーを下げることで容易に固定が可能で密閉でき、メンテナンス蓋６２を閉める。立体型排気ヘパフィルター６５の取り付けが完了後、作業面６３の開口部６４を密閉していた上蓋６８ａの固定用のノブＡ７１ａを取り外し、上蓋６８ａと螺子類を廃棄箱６１へ入れ廃棄し立体型排気ヘパフィルター６５の交換が完了する。
【手続補正１０】
【補正対象書類名】明細書
【補正対象項目名】００２０
【補正方法】変更
【補正の内容】
【００２０】
次に一体化された上蓋６８ａと下蓋６８ｂとによる立体型排気ヘパフィルター６５の開口部６６の閉塞について説明する。
一体化された下蓋６８ｂは立体型排気ヘパフィルター本体６５の目詰まりや定期メンテナンス時に廃棄処理される際に、立体型排気ヘパフィルター開口部６６を閉塞し、捕集された危険物が飛散しないようにするために用いられるものである。下蓋６８ｂは立体型排気ヘパフィルター開口部６６を塞ぐことの出来る直径を有し下面には筒状体７０を配している。筒状体７０の周囲はソケット７３に合った雄螺子構造となり筒状体７０とソケット７３ａは螺合する。立体型排気ヘパフィルター開口部６６に設けたソケット７３ａに，筒状体７０を、一体化した上蓋６８ａ，下蓋６８ｂの取手８０を持ち螺子込むことで螺合し一体化することを可能にしている。下蓋６８ｂの周縁下面に添ってパッキン６９ｂを配し下蓋６８ｂをソケット７３ａに螺子込んだときパッキン６９ｂは立体型排気ヘパフィルター６５と圧接し密封状態とすることを可能にしている。
また、一体化された上蓋６８ａはアイソレーター５１の作業室側開口部６４を塞ぐために使用される。